(57)【要約】  【課題】輸送効率がよく、かつ商品陳列時に手間がかからない箱を提供する。  【解決手段】商品が収納されているブリスターパック本体と、商品を陳列するためのフックが配置されたブリスターパックにおいて、フックはブリスターパック本体に対して回動自在に配置され、ブリスターパック本体から突出するようにバネで付勢されている。また、フックは付勢力に抗して折りたたまれた状態で施錠されている。ブリスターパックには、ブリスターパックの位置情報を受信し特定する位置情報受信手段３２と商品の陳列を許可する特定地域の位置情報を記憶するＥＰＲＯＭ３３とを備え、位置情報受信手段３２により受信された位置情報とＥＰＲＯＭ３３に記憶された特定地域の位置情報とに基づいてブリスターパックが特定地域に在るか否かを判断し、ブリスターパックが特定地域内に在ると判断された場合には、フック施錠制御手段３６によりフック部を施錠状態から解除し、フックを立ち上げる。【選択図】  図３
2007302326.tif 000002
【特許請求の範囲】
【請求項１】
商品を収納する箱本体と、
前記商品を陳列するためのフック部であって、前記箱本体に対して可動性を持って配置され、前記箱本体から突出するように付勢されたフック部と、
前記フック部が付勢力に抗して収納された状態で前記フック部を施錠するフック施錠手段と、
前記箱本体の位置情報を受信し特定する位置情報受信手段と、
前記商品の陳列を許可する特定地域の位置情報を記憶する記憶手段と、
前記位置情報受信手段により受信された位置情報と前記記憶手段に記憶された特定地域の位置情報とに基づいて前記箱本体が前記特定地域に在るか否かを判断する判断手段と、
を備え、
前記フック施錠手段は、前記判断手段により前記箱本体が前記特定地域内に在ると判断された場合には、前記フック部を施錠状態から解除することを特徴とする箱。
【請求項２】
商品を収納する箱本体と、
前記商品を陳列するためのフック部であって、前記箱本体に対して可動性を持って配置され、前記箱本体から突出するように付勢されたフック部と、
前記フック部が付勢力に抗して収納された状態で前記フック部を施錠するフック施錠手段と、
外部通信装置からの指示信号を受信する無線受信手段と、
を備え、
前記フック施錠手段は、前記指示信号に基づいて前記フック部を施錠状態から解除することを特徴とする箱。
【請求項３】
電源スイッチのＯＮ／ＯＦＦによって箱の各部に給電／給電停止する電源部を備えることを特徴とする請求項１又は２に記載の箱。
【請求項４】
集合輸送箱と、前記集合輸送箱に収納された状態で輸送もしくは保管される箱と、を備えた箱システムであって、
前記集合輸送箱は、
前記箱を複数収納する集合輸送箱本体と、
前記集合輸送箱の位置情報を受信し特定する位置情報受信手段と、
前記商品の陳列を許可する特定地域の位置情報を記憶する記憶手段と、
前記位置情報受信手段により受信された位置情報と前記記憶手段に記憶された特定地域の位置情報とに基づいて前記箱本体が前記特定地域に在るか否かを判断して、指示信号を生成する判断手段と、
前記指示信号を無線受信手段に対して送信する無線送信手段と、
を備え、
前記箱は、
商品を収納する箱本体と、
前記商品を陳列するためのフック部であって、前記箱本体に対して可動性を持って配置され、前記箱本体から突出するように付勢されたフック部と、
前記フック部が付勢力に抗して収納された状態で前記フック部を施錠するフック施錠手段と、
前記無線送信手段からの指示信号を受信する無線受信手段と、を備え、
前記フック施錠手段は、前記指示信号に基づいて前記フック部を施錠状態から解除することを特徴とすることを特徴とする箱システム。
【発明の詳細な説明】
【技術分野】
【０００１】
本発明は箱及び箱システムに係り、特にブリスターパックといわれる商品陳列用の箱及び箱システムに関する。
【背景技術】
【０００２】
商品を収納した状態で陳列するプラスチックもしくは表面がコーティングされた紙で作成されている商品陳列時に使用する箱において、商品を陳列するための吊り下げ部は、商品を収納する箱本体と一体となっている。そのため、吊り下げ部が破損すると商品の陳列が出来ないという問題が発生していた。
【０００３】
これに対応するために、吊り下げ部の付け根部分を補強する補強片を、吊り下げ部を有する面とその両側面とに設置し、吊り下げ部の破損を防止する商品陳列用の箱が提案されている（特許文献１）。
【特許文献１】特開平６―８９３２号公報
【発明の開示】
【発明が解決しようとする課題】
【０００４】
しかしながら、上記特許文献１では以下のような欠点があった。吊り下げ部の付け根部分が補強片で補強され吊り下げ部を折りたたむことが出来ないため、輸送時に余計なスペースが必要となり、輸送効率が低下してしまうという問題があった。また、吊り下げ部を折りたたむことができるように構成した場合、輸送時には吊り下げ部を折りたたみ、商品陳列時には吊り下げ部を立ち上げなければならず、手間がかかるという問題があった。
【０００５】
本発明はこのような事情に鑑みてなされたもので、輸送効率がよく、かつ商品陳列時に手間がかからない箱を提供することを目的とする。
【課題を解決するための手段】
【０００６】
前記目的を達成するために、請求項１に記載の箱は、商品を収納する箱本体と、前記商品を陳列するためのフック部であって、前記箱本体に対して可動性を持って配置され、前記箱本体から突出するように付勢されたフック部と、前記フック部が付勢力に抗して収納された状態で前記フック部を施錠するフック施錠手段と、前記箱本体の位置情報を受信し特定する位置情報受信手段と、前記商品の陳列を許可する特定地域の位置情報を記憶する記憶手段と、前記位置情報受信手段により受信された位置情報と前記記憶手段に記憶された特定地域の位置情報とに基づいて前記箱本体が前記特定地域に在るか否かを判断する判断手段と、を備え、前記フック施錠手段は、前記判断手段により前記箱本体が前記特定地域内に在ると判断された場合には、前記フック部を施錠状態から解除することを特徴としている。これにより、輸送効率がよく、かつ商品陳列時に手間がかからない箱を提供することができる。
【０００７】
請求項２に記載の箱は、商品を収納する箱本体と、前記商品を陳列するためのフック部であって、前記箱本体に対して可動性を持って配置され、前記箱本体から突出するように付勢されたフック部と、前記フック部が付勢力に抗して収納された状態で前記フック部を施錠するフック施錠手段と、外部通信装置からの指示信号を受信する無線受信手段と、を備え、前記フック施錠手段は、前記指示信号に基づいて前記フック部を施錠状態から解除することを特徴としている。これにより、輸送効率がよく、かつ商品陳列時に手間がかからない箱を安価に提供することができる。
【０００８】
請求項３に記載の箱は、請求項１又は２に記載の箱において、電源スイッチのＯＮ／ＯＦＦによって箱の各部に給電／給電停止する電源部を備えることを特徴としている。これにより、フック部を立ち上げる必要が無い場合にフック部を立ち上げることを防止することが出来る。
【０００９】
請求項４に記載の商品陳列システムは、集合輸送箱と、前記集合輸送箱に収納された状態で輸送もしくは保管される箱と、を備えた箱システムであって、前記集合輸送箱は、前記箱を複数収納する集合輸送箱本体と、前記集合輸送箱の位置情報を受信し特定する位置情報受信手段と、前記商品の陳列を許可する特定地域の位置情報を記憶する記憶手段と、前記位置情報受信手段により受信された位置情報と前記記憶手段に記憶された特定地域の位置情報とに基づいて前記箱本体が前記特定地域に在るか否かを判断して、指示信号を生成する判断手段と、前記指示信号を無線受信手段に対して送信する無線送信手段と、を備え、前記箱は、商品を収納する箱本体と、前記商品を陳列するためのフック部であって、前記箱本体に対して可動性を持って配置され、前記箱本体から突出するように付勢されたフック部と、前記フック部が付勢力に抗して収納された状態で前記フック部を施錠するフック施錠手段と、前記無線送信手段からの指示信号を受信する無線受信手段と、を備え、前記フック施錠手段は、前記指示信号に基づいて前記フック部を施錠状態から解除することを特徴としている。これにより、輸送効率がよく、かつ商品陳列時に手間がかからない箱を安価に提供することができる。
【発明の効果】
【００１０】
本発明によれば、輸送効率がよく、かつ商品陳列時に手間がかからない箱もしくは商品陳列システムを提供することが出来る。
【発明を実施するための最良の形態】
【００１１】
以下、添付図面に従って本発明に係る箱及び商品陳列システムを実施するための最良の形態について詳細に説明する。
【００１２】
図１は本発明に係る第１の実施の形態の箱（ブリスターパック）のフック部が収納された状態の斜視図であり、図２は上記ブリスターパック１０のフック部が立ち上がった状態の斜視図である。
【００１３】
ブリスターパック１０は、商品を収納するブリスターパック本体１２と、フック部２０とで構成されている。ブリスターパック本体１２には、フレーム１４と、窓１６と、フック収納部１８とが配設されており、窓１６を通して箱外部からブリスターパック本体に収納された商品を見ることが出来るようになっている。
【００１４】
フック部２０は、フック２２と、フック施錠部２４と、バネ２６、２８で構成されている。フック２２は、バネ２６、２８により、ブリスターパック本体１２から立ち上がるように付勢されている。フック２２は、通常は図１に示すように、フック施錠部２４により施錠され、フック収納部１８に収納された状態に保たれている。フック施錠部２４によりフックの施錠が解除された場合は、図２に示すように、フック２２は、バネ２６、２８により、ブリスターパック本体１２から立ち上がり、売り場に陳列可能な状態になる。
【００１５】
図３は上記ブリスターパック１０の内部構成の一例を示すブロック図である。
【００１６】
ユニット３０は、ユニット３０を制御するマイコン３１と、ＧＰＳ（Global positioning system）等でユニット３０の位置情報を受信する位置情報受信部３２と、特定地域の位置情報（高度、緯度及び経度等）を記憶するＥＰＲＯＭ３３と、マイコン３１を含む各部に電源を供給するバッテリー３４と、バッテリーからの給電のＯＮ／ＯＦＦを切り替える電源スイッチ３５とで構成されている。通常は、電源スイッチ３５はＯＮに設定されているが、陳列方法が違う等フック２２を立ち上げたくない場合は、電源スイッチ３５をＯＦＦにしユニット３０及びフック施錠部２４が作動しないように設定することも出来る。
【００１７】
次に、フック２２の施錠を解除する動作について説明する。
【００１８】
図４に示すように、位置情報受信部３２がブリスターパック１０の位置情報を取得する（ステップＳ１０）。次に、マイコン３１は、位置情報受信部３２が受信した位置情報とＥＰＲＯＭ３３に記録された特定地域の位置情報とを比較し、位置情報受信部３２が受信した位置情報とＥＰＲＯＭ３３に記録された特定地域の位置情報が一致しているかどうか判断する（ステップＳ１２）。「ＹＥＳ」の場合はＳ１４へ進み、「ＮＯ」の場合はＳ１０へ戻る。ステップＳ１２で「ＹＥＳ」の場合は、マイコン３１は、フック施錠部２４を動作させ、フック２２の施錠を解除し、それと同時にバッテリー３４からの給電を停止し、ユニット３０の動作を停止させる（ステップＳ１４）。
【００１９】
本実施の形態によれば、輸送効率がよく、かつ商品陳列時に手間がかからないブリスターパックを提供することができる。なお、本実施の形態では、フックの施錠を解除するのと同時にユニットの動作を停止させたが、ユニットを駆動させたままにしてもよい。
【００２０】
図５は本発明に係る第２の実施の形態の全体構成を示す概念図であり、図６は前記第２の実施の形態の内部構成の一例を示すブロック図である。なお、図中、第１の実施の形態と同一の部分については、同一の符号を付し、説明を省略する。
【００２１】
ブリスターパック１０’を複数収納する集合輸送箱４０には、送信ユニット５０が配置されている。ブリスターパック１０’には受信ユニット６０が配置されている。
【００２２】
送信ユニット５０は、ユニット５０を制御するマイコン５１と、ＧＰＳ（Global positioning system）等でユニット５０の位置情報を受信する位置情報受信部５２と、特定地域の位置情報（高度、緯度及び経度等）を記憶するＥＰＲＯＭ５３と、マイコン３１を含む各部に電源を供給するバッテリー５４と、バッテリーからの給電のＯＮ／ＯＦＦを切り替える電源スイッチ５５と、無線信号を送信するためのアンテナ５６とで構成されており、受信ユニット６０は、フック施錠部２４とアンテナ５６からの無線信号を受信し、フック施錠部２４を制御するＩＣタグ６２とで構成されている。
【００２３】
マイコン５１は、位置情報受信部５２が受信した位置情報と、ＥＰＥＯＭ５３に記憶されている特定地域の位置情報とを比較し、一致すると判断した場合は、ブリスターパック１０’に配置されているフック２２の施錠を解除させるための指示信号を生成し、アンテナ５６から送信させる。ＩＣタグ６２は、前記指示信号を受信し、フック施錠部２４を動作させ、フック２２の施錠を解除する。
【００２４】
本実施の形態によれば、輸送効率がよく、かつ商品陳列時に手間がかからないブリスターパックを提供することができる。更に、ブリスターパック毎にユニットを設置しなくてもよいため、上記ブリスターパックをより安価に提供することが出来る。
【００２５】
なお、上記実施の形態では、フックはバネによりブリスターパック本体から立ち上がるようになっているが、磁石の反発力によりブリスターパック本体から立ち上がるようにしてもよい。また、フックをブリスターパック本体の上面と平行に設置し、回動して立ち上がるようになっているが、ブリスターパック本体の上面に対して垂直方向に設置し、突き出すようにして立ち上げてもよい。
【００２６】
また、上記実施の形態において、ブリスターパックが商品陳列場所に設置してある盗難防止用ゲート等を通過するとアラーム信号が発生されるような機能を追加してもよい。
【００２７】
また、上記実施の形態において、ブリスターパックに収納されている商品をブリスターパックから取り出して販売した後で、商品が取り出されたブリスターパックを回収し再利用する通い箱としてもよい。
【図面の簡単な説明】
【００２８】
【図１】本発明が適用された箱の第１の実施の形態のフック部が収納された状態の斜視図である。
【図２】上記箱の第１の実施の形態のフック部が立ち上がった状態の斜視図である。
【図３】上記箱の第１の実施の形態の内部構成の一例を示すブロック図である。
【図４】上記箱の第１の実施の形態のフックの施錠を解除する処理の流れを示すフローチャートである。
【図５】本発明が適用された箱の第２の実施の形態の全体構成を示す概念図である。
【図６】上記箱の第２の実施の形態の内部構成の一例を示すブロック図である。
【符号の説明】
【００２９】
１０…ブリスターパック、１２…ブリスターパック本体、２０…フック部、２４…フック施錠部、３０…ユニット、４０…集合輸送箱、５０…送信ユニット、６０…受信ユニット
【図１】
2007302326.tif 000003
【図２】
2007302326.tif 000004
【図３】
2007302326.tif 000005
【図４】
2007302326.tif 000006
【図５】
2007302326.tif 000007
【図６】
2007302326.tif 000008